(57)【要約】【課題】  電子学習監督方法とシステム、及び、コンピュータ読み取り可能記憶媒体を提供する。【解決手段】  電子学習監督方法は、学習サーバにより実行され、以下の工程からなる。学習サーバは、学習クライアント端から、学習クライアント端が更に受けなければならない検査を表す学習事件を受信する工程と、検査画面を学習クライアント端に伝送する工程と、検査画面に相応する入力答案を受信する工程と、入力答案に基づいて、学習例外処理を実行する必要があるかどうか決定するか、或いは、時間切れになっても、上述の入力答案を検出しない時、学習例外処理を実行する工程とを実行する。【選択図】図７
2010217862.tif 000002
【特許請求の範囲】
【請求項１】
学習サーバと学習クライアント端により実行され、
前記学習サーバは、前記学習クライアント端から、前記学習クライアント端が更に受けなければならない検査を表す学習事件を受信する工程と、
前記学習サーバは、前記受信した学習事件とシミュレーション教室規則ベース中の多数のシミュレーション教室規則を比較し、前記シミュレーション教室規則は、現在提供されている電子課程内容に対し、検出した学習事件が一定条件に符合する時、更に、使用者の学習状態を検査する情報を保存する工程と、
前記学習サーバが検出した前記学習事件の内容が前記シミュレーション教室規則ベース中の任意のシミュレーション教室規則に符合する時、検査画面を前記学習クライアント端に伝送する工程と、
前記検査画面に相応する入力答案を受信する工程と、
前記入力答案に基づいて、学習例外処理を実行する必要があるかどうか決定する工程と、時間切れになっても、前記学習サーバが上述の入力答案を検出しない時、前記学習例外処理を実行する工程とを実行する
ことを特徴とする電子学習監督方法。
【請求項２】
前記検査画面は、少なくとも一つの提示図形を含み、使用者の答えの提示情報と入力答案フィールドを提示し、前記提示図形は、図形識別演算法で、前記検査画面に相応する正確な答案を自動的に識別できない図形であることを特徴とする請求項１に記載の方法。
【請求項３】
前記学習サーバは、前記受信した入力答案が、前記検査画面に相応する正確な答案か検査する工程と、
もし否であれば、前記学習サーバは前記学習例外処理を実行する工程とを実行する
ことを特徴とする請求項１に記載の方法。
【請求項４】
電子学習監督システムであって、
学習クライアント端パソコン装置と、
前記学習クライアント端パソコン装置から、前記学習クライアント端が更に受けなければならない検査を表す学習事件を受信する入力装置と、検査画面を前記学習クライアント端パソコン装置に伝送する出力装置と、前記入力装置を介して前記学習クライアント端パソコン装置から伝送された前記検査画面に相応する入力答案を受信し、前記入力答案に従って、学習例外処理を実行する必要があるか決定する処理ユニットとを備えると共に、前記学習クライアント端パソコン装置に結合される学習サーバと、
からなり、
前記学習サーバは、前記受信した学習事件とシミュレーション教室規則ベースの多数のシミュレーション教室規則を比較し、検出した前記学習事件の内容が前記シミュレーション教室規則ベース中の任意のシミュレーション教室規則に符合する場合、前記検査画面を前記学習クライアント端に伝送し、前記シミュレーション教室は、現在提供している電子課程内容に対し、検出した学習事件が一定条件に符合する時、更に使用者の学習状態を検査する情報を保存する
ことを特徴とするシステム。
【請求項５】
前記検査画面は、少なくとも一つの提示図形を含み、使用者の答えの提示情報と入力答案フィールドを提示し、前記提示図形は、図形識別演算法で、前記検査画面に相応する正確な答案を自動的に識別できない図形であることを特徴とする請求項４に記載のシステム。
【請求項６】
前記学習サーバは、前記受信した入力答案が前記検査画面に相応する正確な答案かどうか検査し、そうでなければ、前記学習例外処理を実行することを特徴とする請求項４に記載のシステム。
【発明の詳細な説明】
【技術分野】
【０００１】
本発明は電子学習技術に関するものであって、特に、電子学習監督方法とシステム、及び、コンピュータ読み取り可能記憶媒体に関するものである。
【背景技術】
【０００２】
公知の電子学習システムは、特に、インターネット上で電子学習サービスの環境を提供するもので、少なくとも一つの電子学習サーバを提供し、各種電子化内容を提供する。学習者は、ブラウザによりネット上でこれらの電子化内容を閲覧することができる。しかし、電子学習サーバは、受動的にしか電子化内容を使用者に提供せず、使用者がまじめに学習しているかを監督することができないので、学習者が居眠りやチャットに夢中であると、電子学習効果が低下する。
【０００３】
よって、電子学習監督システムと方法を提供し、効果的に、使用者の学習状態を検知し、電子学習効果を向上させる必要がある。
【発明の概要】
【発明が解決しようとする課題】
【０００４】
本発明は、電子学習監督システムと方法を提供し、効果的に、使用者の学習状態を検知し、電子学習効果を向上させることを目的とする。
【課題を解決するための手段】
【０００５】
上述の目的を達成するため、本発明の電子学習監督方法は、学習サーバと学習クライアント端により実行される。その工程は、学習サーバは、学習クライアント端から、学習クライアント端が更に検査を受けなければならないことを表す学習事件を受信する工程と、学習サーバは、検査画面を学習クライアント端に伝送する工程と、検査画面に相応する入力答案を受信する工程と、学習サーバは、入力答案に基づいて、学習例外処理を実行する必要があるかどうか決定するか、或いは、時間切れになっても、上述の入力答案を検出しない時、学習サーバが学習例外処理を実行する工程と、からなる。
【０００６】
この方法は、更に、学習クライアント端がソフトハードウェア信号を検出する工程と、学習クライアント端は、検出したソフトハードウェア信号に基づいて、学習事件を学習サーバに伝送するかどうか決定する工程と、を含む。この方法は、学習事件を学習サーバに伝送するかを決定する工程中、更に、学習クライアント端がソフトハードウェア信号の内容と学習事件規則ベース中の多数の学習事件規則を比較し、学習事件規則は、検出したソフトハードウェア信号が一定条件に符合する時、更に、検査を受けなければならない情報を保存する工程と、学習クライアント端が検出したソフトハードウェア信号の内容が、学習事件規則ベース中の任意の学習事件規則に符合する時、学習事件を学習サーバに伝送する工程と、を含む。
【０００７】
この方法は、更に、学習サーバは、受信した学習事件とシミュレーション教室規則ベース中の多数のシミュレーション教室規則を比較し、シミュレーション教室規則は、現在提供されている電子課程内容に対し、検出した学習事件が一定条件に符合する時、更に、使用者の学習状態を検査しなければならない情報を保存する工程と、学習サーバが検出した学習事件の内容がシミュレーション教室規則ベース中の任意のシミュレーション教室規則に符合する時、検査画面を学習クライアント端に伝送する工程と、を含む。
【０００８】
この方法は、更に、学習サーバは受信した入力答案が、検査画面に相応する正確な答案か検査し、もし否であれば、学習サーバは学習例外処理を実行する。
【０００９】
本発明の実施例は、コンピュータプログラムを保存するコンピュータ読み取り可能記憶媒体を開示し、コンピュータプログラムは、学習サーバ、或いは、学習クライアント端中にロードされ、学習サーバ、或いは、学習クライアント端に、上述の電子学習監督方法を実行させる。
【００１０】
本発明の電子学習監督システムは、学習サーバと学習クライアント端からなる。学習サーバは学習クライアント端に結合され、学習クライアント端から、学習クライアント端が更に受けなければならない検査を表す学習事件を受信する工程と、検査画面を学習クライアント端に伝送する工程と、検査画面に相応する入力答案を受信する工程と、入力答案に従って、学習例外処理を実行する必要があるか決定する工程と、からなる。
【００１１】
学習クライアント端は、更に、ソフトハードウェア信号を検出し、検出したソフトハードウェア信号に従って、学習事件を学習サーバに伝送するかどうか決定する。学習クライアント端は、更に、ソフトハードウェア信号の内容と学習事件規則ベースの多数の学習事件規則を比較し、検出したソフトハードウェア信号の内容が学習事件規則ベース中の任意の学習事件規則に符合する場合、学習事件を学習サーバに伝送する。学習事件規則は、検出したソフトハードウェア信号が一定条件に符合する時、更に、受けなければならない検査情報を保存することができる。
【００１２】
学習サーバは、更に、受信した学習事件とシミュレーション教室規則ベース中の多数のシミュレーション教室規則を比較し、検出した学習事件の内容がシミュレーション教室規則ベース中の任意のシミュレーション教室規則に符合する場合、検査画面を学習クライアント端に伝送する。シミュレーション教室は、現在提供している電子課程内容に対し、検出した学習事件が一定条件に符合する時、使用者の学習状態を更に検査する情報を保存する。
【００１３】
学習サーバは、更に、受信した入力答案が検査画面に相応する正確な答案かどうか検出し、否であれば、学習例外処理を実行する。
【００１４】
検査画面は、少なくとも一つの提示図形を含み、使用者の答えの提示情報と入力答案フィールドを提示し、この提示図形は、図形識別演算法で、検査画面に相応する正確な答案を自動的に識別できない図形である。学習例外処理は、現在再生する電子学習課程を停止するか、或いは、電子学習課程の前の章節に戻る。
【発明の効果】
【００１５】
本発明の電子学習監督システムと方法により、効果的に、使用者の学習状態を検知し、電子学習効果を向上させる。
【図面の簡単な説明】
【００１６】
【図１】本発明の実施例による電子学習監督システムのインターネット構造を示す図である。
【図２】本発明の実施例による電子学習監督システム中、パソコンに応用するハードウェア構造を示す図である。
【図３】本発明の実施例による電子学習監督システムのソフトウェア構造を示す図である。
【図４】本発明の実施例による範例の検証画面を示す図である。
【図５】本発明の実施例による範例の検証画面を示す図である。
【図６】本発明の実施例による範例の検証画面を示す図である。
【図７】本発明の実施例による電子学習監督方法のフローチャートである。
【図８】本発明の実施例による電子学習監督のコンピュータ読み取り可能記憶媒体を示す図である。
【発明を実施するための形態】
【００１７】
図１は、本発明の実施例による電子学習監督システム１０のインターネット機構を示す図である。好ましい状況下で、インターネット機構は、パソコン１１と１３を有する。パソコン１１、１３は、ワイヤードコネクション、ワイヤレス、或いは、ワイヤーコネクションとワイヤレスの混合方式で連接される。本技術を熟知する者なら分かるように、パソコン１１、１３間の連結は、多数の仲介ノードによるもので、例えば、アクセスポイント、ベースステーション、ハブ、ブリッジ、ルータ、或いは、その他のインターネット通信を処理できる仲介ノードである。パソコン１１は、学習サーバの役割を果たし、各種電子学習内容を提供する。パソコン１３は、学習クライアントの役割を果たし、パソコン１１が提供する電子学習内容を取得する。
【００１８】
図２は、本発明の実施例による電子学習監督システム１０中、パソコン１１と１３に応用したハードウェア機構図であり、処理ユニット２１、メモリ２２、記憶装置２３、出力装置２４、入力装置２５、通信装置２６、を有し、バス２７により連結される。この他、本技術を熟知するものなら分かるように、このシステムは、その他のコンピュータシステムの形態上に実施でき、例えば、ハンドヘルド装置、マルチプロセッサシステム、マイクロプロセッサベース、或いは、プログラム化可能な家庭用電化製品、インターネットコンピュータ、ミニコンピュータ、大型ホスト、及び、類似の設備である。処理ユニット２１は、単一のCPU（中央処理装置）、或いは、並列処理環境に関する多数の並行処理ユニットを含む。メモリ２２は、ROM(リード  オンリ  メモリ)、フラッシュROM、及び／又は、RAM(ランダム  アクセス  メモリ)を含み、処理ユニット２１が実行するプログラムモジュール、及び、データを保存する。一般に、プログラムモジュールは、ルーチン、プログラム、オブジェクト、コンポーネント等で、電子学習監督功能を実行する。本発明は、分散式演算環境において実行でき、パソコン１１と１３中の演算作業も、インターネットに接続された遠隔処理設備により実行される。分散式環境中、パソコン１１、１３の功能の実行は、本地、及び、複数の遠隔コンピュータシステムにより共同完成する。記憶装置２３は、ハードディスク、ソフトディスク、光ディスク装置、或いは、フラッシュディスクで、ハードディスク、ソフトディスク、光ディスク、フラッシュディスク中に保存されたプログラムモジュール、及び／又はデータを読み取る。
【００１９】
図３は、本発明の実施例による電子学習監督システム１０のソフト機構を示す図で、それぞれ、学習サーバ１１と学習クライアント端１３の二部分である。学習クライアント端１３は、学習事件識別規則ベース３３１、学習事件識別モジュール３３２、事件伝送モジュール３３３、ソフトハードディスク情報監督モジュール３３４、検証画面受信モジュール３３５、及び、答案生成モジュール３３７、からなる。学習サーバ１１は、事件受信モジュール３１１、学習行為評価モジュール３１２、シミュレーション教室規則ベース３１３、人間コンピュータインタラクティブ検証モジュール３１５、答案検証モジュール３１７、及び、課程例外処理モジュール３１９、を含む。
【００２０】
電子学習監督システム１０中の学習クライアント端１３は、繰り返し、各種ソフトハードウェア信号を検知し、これらのソフトハードウェア信号に基づいて、事前に定義する学習事件を識別すると共に、識別した学習事件を学習サーバ１１に伝送する。ソフトハードウェア情報監督モジュール３３４は、継続して、多数の各種ソフトハードウェアに関する信号を検出すると共に、これら検出した信号を、電子学習課程が終了するまで事件識別モジュール３３２に伝送する。例えば、これらの信号は使用者の学習状態を表し、マウスが移動していない時間、スクリーン中の現在最上層に位置するウィンドウ名称、キーボードが信号を受信していない時間、或いは、類似の情報などである。学習事件規則ベース３３１は、多数の事前に決定した学習事件規則を保存し、各学習事件規則は、事前に定義する一学習事件を表し、検出した信号が一定条件に符合する時、使用者の学習状態を検査する情報を保存する。学習事件規則は、規則テンプレート、規則で発生する前例（antecedent）、或いは、結果の最大、或いは、最小数量条件（predicates）、信号項目値の関係、信号項目値の演算方程式、及び／又は、以上の組み合わせにより表示される。例えば、学習事件規則は、マウスの未移動時間が３０分を超過する時、使用者の学習状態を検査する情報を保存する。学習事件規則は、現在最上層に位置するウィンドウ名称が、
“MSNメッセンジャー”、“YAHOOメッセンジャー”、或いは、その他であることを表す時、及び、マウスの未移動時間が１分以上である時、使用者の学習状態を検査する情報を保存する。学習事件識別モジュール３３２は継続して、ソフトハードウェア情報監督モジュール３３４から伝送される信号を受信し、学習事件規則ベース３３１中に保存された規則と比較し、受信した信号が規則を満たすかどうか判断し、識別した学習事件規則ベース３３１中に事前に定義された学習事件を表すか、そうでなければ、使用者は、学習サーバ１１が提供する電子学習課程に集中して取り組んでいることを表す。続いて、学習事件識別モジュール３３２は、識別した学習事件を事件伝送モジュール３３２に伝送する。事件伝送モジュール３３２は、識別した学習事件を学習サーバ１１中の事件受信モジュール３１１に伝送するのを担う。
【００２１】
学習サーバ１１が提供する電子課程内容は相同ではないので、異なる電子課程内容に対し、更に人間コンピュータインタラクティブ検証が必要か検査する。よって、電子学習監督システム１０中の学習サーバ１１は繰り返し識別した学習事件を受信し、これらの学習事件に従って、更に人間コンピュータインタラクティブ検証が必要か決定する。シミュレーション教室規則ベース３１３は、現在提供される電子課程内容に対し、複数の事前に決定したシミュレーション教室規則を保存し、各シミュレーション教室規則は、受信した学習事件が一定条件に符合する時、使用者の学習状態を検査する情報を保存する。シミュレーション教室規則は、規則テンプレート、規則で発生する前例、或いは、結果の最大、或いは、最小数量条件、信号項目値の関係、信号項目値の演算方程式、及び／又は、以上の組み合わせにより表示される。事件受信モジュール３１１は、受信した学習事件を学習行為評価モジュール３１２に伝送する。学習行為評価モジュール３１２は、継続して、事件受信モジュール３１１より伝送された学習事件を受信すると共に、シミュレーション教室規則ベース３１３中に保存された各規則を比較し、受信した学習事件が任意の規則を満足させるか判断し、そうであれば、使用者が更に人間コンピュータインタラクティブ検証を受ける必要があることを表し、そうでなければ、使用者は、学習サーバ１１が提供する電子学習課程に集中して取り組んでいることを表す。続いて、学習行為評価モジュール３１２は、使用者が更に人間コンピュータインタラクティブ検証を受ける必要があると検出した時、人間コンピュータインタラクティブ検証モジュール３１５を駆動して、後続の人間コンピュータインタラクティブ検証を実行する。ここで注意すべきことは、提供される電子課程内容は更に学習行為を評価する必要がない時、事件受信モジュール３１１は人間コンピュータインタラクティブ検証モジュール３１５を直接駆動して、後続の人間コンピュータインタラクティブ検証を実行する必要がないことである。
【００２２】
電子学習監督システム１０中の学習サーバ１１は、続いて、人間コンピュータインタラクティブ検証を実行し、電子学習課程全体を停止するか、或いは、この課程の前の章節に戻るかどうかを決定する。人間コンピュータインタラクティブ検証モジュール３１５は、検証画面を生成し、学習クライアント端１３中の検証画面受信モジュール３３５に伝送する。この検証画面中、少なくとも一つの提示図形を含み、使用者が提供する答案の提示情報、及び、入力答案のフィールドを示す。この提示図形は、使用者により正確な答案を識別されるが、各種図形識別演算法（例えば、光学式文字認識、ＯＣＲ）により自動的正確な答案を識別することができない。図４、図５、及び、図６は、本発明の実施例による範例検証画面４０、５０、６０を示す。図４を参照すると、検証画面４０中に提示図形４１を含み、使用者の“図形中に出現する文字を入力する”の提示情報４３、及び、入力答案のフィールド４５を示す。このパターンの正確な答案は、wentai@iii.org.twで、且つ、この提示図形中の各文字(character)は数個の異なる形態の曲解により、各種図形識別演算法により自動的に正確な答案を識別することが難しい。図５を参照すると、検証画面５０中に８個の提示図形５１ａ〜５１ｈがあり、使用者の“左の図形を下方の答案領域にドラッグすると共に、線の太さによって分類する”提示情報５３、及び、入力答案のフィールド５５、を示し、答案フィールド中に、二つの類別フレームを有する。使用者は、もし、この画面の正確な答案を生成する場合、提示図形５１ａ〜５１ｄを、同一の類別フレームにドラッグし、５１ｅ〜５１ｈをもう一つの類別フレームにドラッグする。図６を参照すると、検証画面６０中、４個の提示図形６１ａ〜６１ｄを含み、使用者の“左の四枚の図を表す単語を選択する”の提示情報６３、及び、入力答案のフィールド６５を示し、答案フィールド中に含まれるプルダウンメニューは、使用者に一つの単語を選択させる。使用者は、この画面の正確な答案を生成する場合、入力答案フィールド６５中の単語“baby”を選択する。
【００２３】
答案生成モジュール３３７は、検証画面受信モジュールにおいて、検証画面を受信した後、この検証画面を出力装置１５（図１で示される）で表示し、使用者が入力装置１６（図１で示される）により入力される答案を待つ。入力された答案を受信した後、答案生成モジュール３３７は、受信した答案を学習サーバ１１中の答案検証モジュール３１７に伝送する。答案検証モジュール３１７は、受信した答案と前に伝送された検証画面に関する正確な答案を比較し、両者が一致するか決定する。もし一致する場合、答案検証モジュール３１７は課程例外処理モジュール３１９を駆動することにより電子学習課程全体を停止するか、或いは、この課程の前の章節に戻る。ここで注意すべきことは、答案検証モジュール３１７が、事前に決定した超過時間に達しても、答案生成モジュール３３７から伝送される答案を何一つ受信していない場合も、課程例外処理モジュール３１９を駆動して、電子学習課程全体を停止するか、或いは、この課程の前の章節に戻ることである。
【００２４】
図７は、本発明の実施例による電子学習監督方法のフローチャートである。フローチャートは二個の領域に分けられ、左は学習クライアント端１３により実行される工程、右は学習サーバ１１により実行される工程で、可読性を増す。
【００２５】
まず、工程６１１において、学習クライアント端１３は、各種ソフトハードウェアに関する信号を検出し、この工程の詳細は、ソフトハードウェア情報監督モジュール３３４（図３で示される）中の相関説明を参考にする。工程６３１において、検出された信号により、更に検証が必要な学習事件が存在するか決定し、工程６３３の処理を実行するか、そうでなければ、工程６１１に戻って、継続して信号を検出する。工程６３１の詳細は、学習事件識別モジュール３３２（図３で示される）と学習事件規則ベース３３１（図３で示される）中の相関説明を参照する。工程６３３において、決定された学習事件を学習サーバ１１に伝送する。
【００２６】
工程７１１において、学習サーバ１１は学習事件を受信する。工程７３１において、受信された学習事件により、更に、人間コンピュータインタラクティブ検証が必要か決定し、工程７３３の処理を実行するか、そうでなければ、工程７１１に戻って、継続して、その他の学習事件を受信する。工程７１１の詳細は、シミュレーション教室規則ベース３１３（図３で示される）と学習行為評価モジュール３１２（図３で示される）中の相関説明を参照する。工程７３３において、検証画面を生成して、学習クライアント端１３に伝送する。この工程の詳細は、人間コンピュータインタラクティブ検証モジュール３１５（図３で示される）中の相関説明を参照する。
【００２７】
工程６５１において、学習クライアント端１３は検証画面を受信する。工程６５３において、使用者から入力された答案を受信するのを待ち、この工程の詳細は、答案生成モジュール３３７（図３で示される）中の相関説明を参考にする。工程６５５において、入力された答案を学習サーバ１１に伝送する。
【００２８】
工程７５１において、学習サーバ１１は入力された答案を受信する。工程７５３において、入力された答案が正確かどうか検証し、工程７５５の処理を実行する。工程７５３の詳細は、答案検証モジュール３１７（図３で示される）中の相関説明を参照する。工程７５５において、電子学習課程全体を停止するか、この課程の前の章節に戻る。
【００２９】
図８は、本発明の実施例による電子学習監督のコンピュータ読み取り可能記憶媒体を示す図である。この記憶媒体８０は、コンピュータプログラム８２０を保存し、上述の電子学習監督方法を実現する。本発明の方法とシステム、或いは、特定の形態、或いは、その部分は、プログラムコードの形態、例えば、ハードディスク、ソフトディスク、或いは、その他の機器により読み取りが可能な記憶媒体を含む。プログラムコードが機器、例えば、コンピュータにより、ロード、且つ、実行された時、この機器は、本発明の装置に参与する。本発明の方法と装置は、プログラムコードの形態で、伝送媒体、電線、ケーブル、光ファイバー、或いは、いかなる伝送形態により伝送され、プログラムコードが機器、例えば、コンピュータにより受信、ロード、且つ、実行される時、この機器は本発明の装置に参与する。一般用途の処理ユニット実作時、プログラムコード結合処理器は、操作が特定ロジック回路に類似する独特の装置を提供する。
【００３０】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００３１】
１０    電子学習監督システム
１１    パソコン／学習サーバ
１３    パソコン／学習クライアント端
２１    処理ユニット
２２    メモリ
２３    保存装置
２４    出力装置
２５    入力装置
２６    通信装置
２７    バス
３１１  事件受信モジュール
３１２  学習行為評価モジュール
３１３  シミュレーション教室ベース
３１５  人間コンピュータインタラクティブ検証モジュール
３１７  答案検証モジュール
３１９  課程例外処理モジュール
３３１  学習事件識別規則ベース
３３２  学習事件識別モジュール
３３３  検証画面受信モジュール
３３４  ソフトハードウェア情報監督モジュール
３３５  検証画面受信モジュール
３３７  答案生成モジュール
４０、５０、６０  検証画面
４１、５１ａ〜５１ｈ、６１ａ〜６１ｄ  提示図形
４３、５３、６３  提示情報
４５、５５、６５  入力答案フィールド
８０    記憶媒体
８２０  電子学習監督コンピュータプログラム
【図１】
2010217862.tif 000003
【図２】
2010217862.tif 000004
【図３】
2010217862.tif 000005
【図４】
2010217862.tif 000006
【図５】
2010217862.tif 000007
【図６】
2010217862.tif 000008
【図７】
2010217862.tif 000009
【図８】
2010217862.tif 000010